(57)【要約】  【目的】  手を濡らすことなく、観賞魚を身近に眺めながらスキンシップを楽しむことができる。  【構成】  伸縮自在な水密性の薄肉素材１１とステンレスワイヤからなるスパイラル状の補強部材１２とで蛇腹構造に形成する。開口端部１３を、水槽の側壁２に設けた貫通穴２ａに挿着した中空のアダプター３の外周に挿入してクランプ５で固定する。水密性の蛇腹構造のため、挿入した手指を水に濡れることなく上下左右および前後方向に自由に動かすことができる。また不使用時には、水圧で蛇腹が縮んでスパイラル状の補強部材１２の間隔が狭まり、剛性が高くなって水圧で潰れない。このため容易に手指の挿入および引出しができる。【選択図】  図１
0003115637.tif 000002
【実用新案登録請求の範囲】
【請求項１】
少なくとも手首まで挿入可能な手袋であって、
上記手袋は、指の挿入部分と、手の平の挿入部分と、手首以降の挿入部分とを備え、
上記指の挿入部分と、手の平の挿入部分と、手首以降の挿入部分とは、それぞれリング状またはスパイラル状の補強部材と水密性の薄肉素材とを有する伸縮自在な蛇腹構造に形成され、
上記手首以降の挿入部分の開口端部は、水槽の側壁に設けた貫通穴に挿着した中空のアダプターに装着される
ことを特徴とする水槽内挿入手袋。
【請求項２】
請求項１において、上記手袋は、左右一対からなることを特徴とする水槽内挿入手袋。
【請求項３】
請求項１または２のいずれかにおいて、上記薄肉素材は、上記補強部材の内側と外側とにそれぞれ設けてあることを特徴とする水槽内挿入手袋。
【請求項４】
上記アダプターに着脱可能な密閉栓を備えていることを特徴とする請求項１〜３のいずれかの１に記載の水槽内挿入手袋。
【考案の詳細な説明】
【技術分野】
【０００１】
本考案は、水槽の側壁の外側から手指を挿入することができる水槽内挿入手袋に関する。
【背景技術】
【０００２】
古くから、犬、猫、観賞魚等の種々のペットは、人々の暮らしに大きな癒し効果を与えてきた。特に最近では、社会の複雑化などによってストレスが高まり、ペットから癒し効果を得たいという要望が、より強くなっている。また介護医療等においても、ペットと触れ合うことが、病等の予防や改善につながることが広く知られてきている。
【考案の開示】
【考案が解決しようとする課題】
【０００３】
ペットの癒し効果は、ペットと直接触れ合うことでさらに高まることも良く知られている。このため手や身体で直接触れ易い犬、猫等の地上動物は、癒しの効果が非常に高いペットとされている。しかるに、金魚や熱帯魚等の観賞魚は、水中内の生物であるため、手指を水で濡らさないで直接触れ合うことは難しい。
【０００４】
もっとも手袋をはめて、水槽の水面から手を水中に入れ、観賞魚とスキンシップを図ることは可能である。しかしながらこの方法では、浅い水槽では可能であるが、深い水槽では、水槽の底付近の観賞魚には手が届かないため、観賞魚に触れることはできない。また水面から手を挿入する場合には、水面の乱れや光の反射、あるいは挿入した手自体が邪魔になって、観賞魚の様子を十分見ることできない。また使用後には、水に濡れた手袋を乾かしたり保管したりする必要があり、これらは、極めてわずらわしいものである。更に子供や年配者が、水槽内に水面から手を挿入することは、水をこぼしたり水槽内に転落したりする危険もある。
【０００５】
そこで本考案の目的は、手を濡らすことなく、観賞魚を身近に眺めながらスキンシップを楽しむことができる水槽内挿入手袋を提供することにある。
【課題を解決するための手段】
【０００６】
上述した課題を解決すべく、本考案による水槽内手挿入具の特徴は、少なくとも手首まで挿入可能な手袋であって、この手袋は、指の挿入部分と、手の平の挿入部分と、手首以降の挿入部分とを備えていることにある。上記指の挿入部分と、手の平の挿入部分と、手首以降の挿入部分とは、それぞれリング状またはスパイラル状の補強部材と、水密性の薄肉素材とを有する伸縮自在な蛇腹構造に形成されている。上記手首以降の挿入部分の開口端部は、水槽の側壁に設けた貫通穴に挿着した中空のアダプターに装着される。
【０００７】
上記手袋は左右一対からなっていることが望ましい。また上記薄肉素材は、上記補強部材の内側と外側とにそれぞれ設けてあることがより望ましい。さらに上記水槽内手挿入具は、上記アダプターに着脱可能な密閉栓を備えていることが望ましい。
【０００８】
ここで「薄肉素材」とは、手袋に成形し易い薄いシート材を意味し、例えば、塩ビ、ポリエチレン、あるいはシリコン樹脂等の合成樹脂や、天然あるいは合成ゴムが該当する。また「補強部材」とは、水槽内の水圧で手袋がつぶれないように補強する部材を意味し、例えば鉄、アルミまたは銅等の金属や、合成樹脂からなるワイヤ状、あるいは薄い帯状の部材が該当する。「中空のアダプター」とは、水槽の側壁に設けた貫通穴に挿着可能であって、手の平と手首以降とが挿入可能な中空であれば、その形状や材質は問わない。例えば合成樹脂材からなる円筒や円筒の外周にフランジ部を設けたものが該当する。
【０００９】
「密閉栓」とは、本考案の水槽内手挿入具を使用しないときに、手袋に生じた亀裂等により、水槽内の水が外部に漏洩することを防止する機能を有する部材を意味し、上記中空のアダプターに着脱可能なものであれば、その形状や材質を問わない。例えばゴムまたはプラスチック材からなり、アダプターの中空部に嵌合またはねじ込むものが該当する。
【考案の効果】
【００１０】
水槽の側壁に設けた貫通穴に中空のアダプターを挿着しておいて、このアダプターに手袋を装着することによって、水面を乱すことなく、水槽の底部分にも容易に手を挿入することができる。また側壁を通して、水槽内を間近に、かつ鮮明に眺めることができる。手袋をリング状またはスパイラル状の補強部材と、水密製の薄肉素材とで伸縮自在な蛇腹構造にすることによって、手首、手の平、及び各指を自在に動かすことができ、薄肉素材を介して、水槽内の観賞魚と、さまざまな態様で触れ合うことができる。
【００１１】
手袋を薄肉素材とリング状またはスパイラル状の補強部材とで蛇腹構造とすることによって、手袋が潰れることを防止できる。すなわち手を挿入していない場合には、水圧によって手袋が前後方向に縮んで、リング状またはスパイラル状の補強部材の軸方向の間隔が狭まり、剛性が高くなる。このため水圧で手袋が潰れることがなく、手指の手袋内への挿入と引き出しとが、極めて容易になる。また手指を引き出したときに、手袋が水圧で潰れ、中空のアダプターから水槽外に押し出されることを防止できる。
【００１２】
水槽内挿入手袋を左右一対設けることによって、両手で水槽内の観賞魚とより多様なスキンシップが可能になり、癒し効果をさらに高めることができる。
【００１３】
薄肉素材を、補強部材の内側と外側とにそれぞれ設けることによって、この薄肉素材と補強部材との接着性を強化できる。また補強部材の内側に薄肉素材を設けることによって、手指の挿入や引き出しをスムーズに行なうことができる。さらに補強部材の外側に薄肉素材を設けることによって、水槽内の汚れが補強部材に付着することが防止でき、また観賞魚との接触が滑らかになって、観賞魚を傷つけたり警戒させたりすることを回避できる。
【００１４】
貫通穴に挿着した中空のアダプターに着脱可能な密閉栓を備えることによって、薄手の手袋の水密性が損なわれた場合等にも、水槽外に水が漏洩することを防止できる。
【考案を実施するための最良の形態】
【００１５】
図１〜図２を参照して、本考案による水槽内挿入手袋の具体例を説明する。図１に示すように、本考案による水槽内挿入手袋１は、薄肉素材で一体成形された指の挿入部分１ａ、手の平の挿入部分１ｂ、および手首以降の挿入部分１ｃから構成される。指の挿入部分１ａ、手の平の挿入部分１ｂ、および手首以降の挿入部分１ｃは、それぞれ水密性を有するポリアミド系樹脂（ナイロン）製の薄肉素材１１を二枚重ね、その間にステンレスワイヤをスパイラル状に巻いた補強部材１２を挿入して、接着剤等で接合した蛇腹構造になっている。
【００１６】
水槽内挿入手袋１は、全体が蛇腹構造になっているため、左右上下および前後方向に自在に曲げたり伸ばしたりすることができる。そして手を挿入していないときには、水槽内の水圧で蛇腹の間隔が縮んで剛性が高くなり、水圧によって潰れることを防止できる。このため容易に手を挿入したり、抜き出したりすることができる。さらに補強部材１２の内外面は、薄肉素材１１で挟まれて接合してあるため、この補強部材が薄肉素材と剥がれるのを防止できると共に、一層容易に手を挿入したり、抜き出したりすることができるようになる。
【００１７】
次に図２を参照しつつ、水槽内挿入手袋１を水槽へ取り付ける手段を説明する。水槽のアクリル製の側壁２に、貫通穴２ａを開口する。なお貫通穴２ａは、アクリル製のリング部材４を接着剤で接着して補強してある。側壁２の貫通穴２ａとリング部材４の内周４ａとに、アダプター３を挿着する。アダプター３は、円筒部３ｂの一端にフランジ部３ａを設けたものであって、この円筒部の外周が側壁２の貫通穴２ａとリング部材４の内周４ａとに嵌合する。そしてフランジ部３ａをリング部材４に密着させ、接着剤によって両者を接着する。
【００１８】
アダプター３の円筒部３ｂの他端部、すなわち水槽内に突出している部分の外周に、水槽内挿入手袋１の開口端部１３を被せ、その外周をクランプ５によって締め付ける。したがってクランプ５によって、水槽内挿入手袋１は、アダプター３の円筒部３ｂに容易に着脱することができる。
【００１９】
アダプター３のフランジ部３ａの内周には、雌ねじ３ｃが螺設してあり、この雌ねじに、密閉栓６の雄ねじ６ｃが螺合する。すなわち密閉栓６は、円盤部６ａの一端に円柱状の突起部６ｂを設けたものであって、この突起部の外周に、雄ねじ６ｃが螺設してある。また円盤部６ａの外周には、密閉栓６を挿着したり、取り外したりし易いように、多数の細い突状部６ｄが設けてある。また密閉栓６の円盤部６ａと、アダプター３のフランジ部３ａとの間には、ゴム製のパッキング８を装着して、水の漏洩を防止する。したがって水槽内挿入手袋１を使用しない場合には、この密閉栓６を挿着しておけば、この水槽内挿入手袋の水密性が損なわれたときにも、水槽内の水が外部に流出することを回避できる。
【００２０】
図３を参照しつつ、水槽内挿入手袋１０１を水槽へ取り付けるための、他の手段を説明する。なお図１〜図２に示す部品や部分と同様なものについては、参照し易くするため、図１〜図２に示す部品番号に一律１００を加えた番号にしてある。さてこの手段では、水槽内挿入手袋１０１の開口端部１１３を、楔型の押さえリング１０５の先端傾斜部分１０５ａに被せ、この押さえリングを、押さえナット１０７によって、アダプター１０３の円筒部の他端部１０３ｂ、すなわち水槽内に突出する側の内周に設けた傾斜面１０３ｄに押圧する。したがって水槽内挿入手袋１０１の開口端部１１３は、押さえリング１０５の先端傾斜部分１０５ａと、アダプター１０３の傾斜面１０３ｄとの間で強固に挟まれて、このアダプターに水密性を確保しつつ保持される。以上によって押さえリング１０５と押さえナット１０７とによって、水槽内挿入手袋１０１は、アダプター１０３の円筒部の他端部１０３ｂの内周に容易に着脱することができる。
【００２１】
アダプター１０３の円筒部の一端部１０３ｃ、すなわち水槽の外側に突出する側の内周には、押さえナット１０７の外周に螺設した雄ねじ１０７ａが螺合する雌ねじ１０３ｅが螺設してあり、この雌ねじに、密閉栓１０６の円筒突起部１０６ｂの外周に螺設した雄ねじ１０６ｃが螺合する。なお押さえナット１０７の後端には、４個の溝１０７ｂが９０度の間隔で設けてあり、この溝に薄板等を嵌合させ、この押さえナットを回転させて締め付ける。また密閉栓１０６の円盤部１０６ａと、アダプター１０３の円筒部の一端部１０３ｃの端面との間には、ゴム製のパッキング１０８を装着して、水の漏洩を防止する。
【００２２】
図４を参照しつつ、水槽内挿入手袋１、１０１の使用方法を説明する。すなわち水槽内挿入手袋１等は、左右一対からなり、この水槽内挿入手袋に両手を挿入する。水槽内挿入手袋１等は、上述したように蛇腹構造になっているので、水槽内の水圧で潰されず、各指、手の平および手首以降をスムーズに挿入することができ、かつ挿入後は、左右上下や前後方向に自在に移動することができ、ひねりを加えることも可能となる。したがって魚が慣れれば、自由に手指を動かして魚を招き寄せたり、触れたりすることができ、かつその様子を水槽の側壁２、１０２を通して身近に明瞭に見ることができる。
【００２３】
なお水槽内挿入手袋１、１０１は、例えば右手だけの一方としてもよい。また密閉栓６、１０６を、透明な合成樹脂等で製作すれば、水槽内挿入手袋１、１０１の水密性が損なわれたときには、この密閉栓の内側に水が漏れ出ていることを容易に判別でき、不用意にこの密閉栓を外すことが防止できる。
【産業上の利用可能性】
【００２４】
本考案による水槽内挿入手袋は、公知の技術、材料で容易に安価に製造可能であり、観賞魚の飼育設備に関する産業や、介護に関する産業等に広く利用可能である。
【図面の簡単な説明】
【００２５】
【図１】水槽の側壁に取り付けた水槽内挿入手袋の全体図である。
【図２】水槽の側壁への取り付部分の拡大断面図である。
【図３】水槽の側壁に取り付けた他の水槽内挿入手袋の全体図である。
【図４】水槽内挿入手袋の使用を説明する概略図である。
【符号の説明】
【００２６】
１、１０１              水槽内挿入手袋
１ａ                    指の挿入部分
１ｂ                    手の平の挿入部分
１ｃ                    手首以降の挿入部分
１１、１１１            薄肉素材
１２、１１２            補強部材
１３、１１３            開口端部
２、１０２              側壁（水槽の）
２ａ、１０２ａ          貫通穴
３、１０３              アダプター
４                      リング部材
５                      クランプ
６、１０６              密閉栓
８、１０８              パッキング
１０５                  押さえリング
１０７                  押さえナット
【図１】
0003115637.tif 000003
【図２】
0003115637.tif 000004
【図３】
0003115637.tif 000005
【図４】
0003115637.tif 000006